(57)【要約】【課題】利用者にとって不適切な情報が出力されたことを知る。【解決手段】通信端末１００−１が、生体情報を取得し、取得した生体情報があらかじめ設定された条件を満たしているかどうかを判定し、生体情報が条件を満たしていると判定した場合、出力している情報の内容を示すコンテンツ情報を作成し、作成したコンテンツ情報を通信端末２００−１へ提供する。【選択図】図１
2014229234.tif 000002
【特許請求の範囲】
【請求項１】
生体情報を測定する生体情報測定部と、
情報を出力する第１の出力部と、前記生体情報測定部が測定した生体情報を該生体情報測定部から取得する生体情報取得部とを具備する第１の情報処理端末と、
第２の情報処理端末と、
前記生体情報取得部が取得した生体情報が、あらかじめ設定された条件を満たすかどうかを判定する条件判定部とを有し、
前記第１の情報処理端末は、前記条件判定部が、前記生体情報が前記条件を満たしていると判定した場合、前記第１の出力部が出力している情報の内容を示すコンテンツ情報を作成するコンテンツ情報作成部を具備し、
さらに、前記コンテンツ情報作成部が作成したコンテンツ情報を前記第２の情報処理端末へ提供するコンテンツ情報提供部を有し、
前記第２の情報処理端末は、前記コンテンツ情報提供部から提供されたコンテンツ情報が示す情報を出力する第２の出力部を具備する情報処理システム。
【請求項２】
請求項１に記載の情報処理システムにおいて、
前記生体情報測定部は、前記第１の情報処理端末を操作している利用者の脈拍数または心拍数を前記生体情報として用いる場合、判定に用いる脈拍数または心拍数の測定期間より短い、既定の短期間または既定の拍数にて前記生体情報を測定し、
前記生体情報取得部は、前記生体情報測定部から取得した前記生体情報から、判定に用いる測定期間での前記生体情報を予測することを特徴とする情報処理システム。
【請求項３】
請求項１または請求項２に記載の情報処理システムにおいて、
前記条件判定部は、前記生体情報があらかじめ設定された閾値を超えた場合、前記条件を満たすと判定することを特徴とする情報処理システム。
【請求項４】
請求項１または請求項２に記載の情報処理システムにおいて、
前記条件判定部は、前記生体情報があらかじめ設定された閾値を超えた状態が所定の時間以上続いた場合、前記条件を満たすと判定することを特徴とする情報処理システム。
【請求項５】
請求項１から４のいずれか１項に記載の情報処理システムにおいて、
前記コンテンツ情報作成部が作成したコンテンツ情報を記憶する記憶部を有し、
前記コンテンツ情報提供部は、前記第２の情報処理端末から前記コンテンツ情報の要求があった場合、前記記憶部が記憶しているコンテンツ情報を読み出して該第２の情報処理端末へ提供することを特徴とする情報処理システム。
【請求項６】
請求項１から４のいずれか１項に記載の情報処理システムにおいて、
前記第２の情報処理端末は、前記コンテンツ情報提供部から提供されたコンテンツ情報を記憶する記憶部を有し、
前記第２の出力部は、前記第２の情報処理端末の外部から前記コンテンツ情報の出力の要求があった場合、前記記憶部が記憶しているコンテンツ情報を読み出して出力することを特徴とする情報処理システム。
【請求項７】
請求項１から６のいずれか１項に記載の情報処理システムにおいて、
前記第１の情報処理端末は、前記生体情報測定部と前記条件判定部との少なくとも一方を具備することを特徴とする情報処理システム。
【請求項８】
請求項１から７のいずれか１項に記載の情報処理システムにおいて、
前記第１の出力部は、前記情報を表示することを特徴とする情報処理システム。
【請求項９】
請求項１から８のいずれか１項に記載の情報処理システムにおいて、
前記第１の出力部は、前記情報を音声として出力することを特徴とする情報処理システム。
【請求項１０】
情報を出力する出力部と、
生体情報を取得する生体情報取得部と、
前記生体情報取得部が取得した生体情報が、あらかじめ設定された条件を満たすかどうかを判定する条件判定部と、
前記条件判定部が、前記生体情報が前記条件を満たしていると判定した場合、前記出力部が出力している情報の内容を示すコンテンツ情報を作成するコンテンツ情報作成部と、
前記コンテンツ情報作成部が作成したコンテンツ情報を提供するコンテンツ情報提供部とを有する情報処理端末。
【請求項１１】
請求項１０に記載の情報処理端末において、
さらに、前記出力部と、前記生体情報取得部と、前記条件判定部と、前記コンテンツ情報作成部と、前記コンテンツ情報提供部とを内蔵する筐体と、
前記筐体に付されて、前記筐体を利用者に装着する装着部とを具備し、
前記筐体または前記装着部の利用者の肌側に前記生体情報を測定する生体情報測定部が設けられている腕時計型、もしくはリストバンド型であることを特徴とする情報処理端末。
【請求項１２】
情報を出力する処理と、
生体情報を取得する処理と、
前記取得した生体情報が、あらかじめ設定された条件を満たすかどうかを判定する処理と、
前記生体情報が前記条件を満たしていると判定した場合、前記出力している情報の内容を示すコンテンツ情報を作成する処理と、
前記作成したコンテンツ情報を提供する処理とを行う情報処理方法。
【請求項１３】
コンピュータに、
情報を出力する手順と、
生体情報を取得する手順と、
前記取得した生体情報が、あらかじめ設定された条件を満たすかどうかを判定する手順と、
前記生体情報が前記条件を満たしていると判定した場合、前記出力している情報の内容を示すコンテンツ情報を作成する手順と、
前記作成したコンテンツ情報を提供する手順とを実行させるためのプログラム。
【発明の詳細な説明】
【技術分野】
【０００１】
本発明は、情報処理を行う情報処理システム、情報処理端末、情報処理方法およびプログラムに関する。
【背景技術】
【０００２】
近年、通信ネットワーク上には、子供が閲覧するには相応しくないコンテンツや、悪質な内容が記載された電子メールの配信等、健全な生活を維持していくには不要と思われる情報が存在する。子供がそのような情報を閲覧してしまった場合、その子供は親へ報告することがなかなかできず、親はそのような状況を把握することができない。そのため、親は、子供がそのような情報に接することから引き離すことができない。
【０００３】
そこで、子供の親権者等があらかじめ登録したサイト以外は、当該子供がアクセスできないように制限をかける技術が考えられている（例えば、特許文献１参照。）。
【先行技術文献】
【特許文献】
【０００４】
【特許文献１】特開２００３−１８６８４２号公報
【発明の概要】
【発明が解決しようとする課題】
【０００５】
このような技術においては、登録に手間がかかってしまうという問題点がある。また、登録されたサイト内であっても一部に不適切な情報が存在する場合、親は、子供がそのような情報に接することから引き離すことができないという問題点がある。
【０００６】
本発明の目的は、上述した課題を解決する情報処理システム、情報処理端末、情報処理方法およびプログラムを提供することである。
【課題を解決するための手段】
【０００７】
本発明の情報処理システムは、
生体情報を測定する生体情報測定部と、
情報を出力する第１の出力部と、前記生体情報測定部が測定した生体情報を該生体情報測定部から取得する生体情報取得部とを具備する第１の情報処理端末と、
第２の情報処理端末と、
前記生体情報取得部が取得した生体情報が、あらかじめ設定された条件を満たすかどうかを判定する条件判定部とを有し、
前記第１の情報処理端末は、前記条件判定部が、前記生体情報が前記条件を満たしていると判定した場合、前記第１の出力部が出力している情報の内容を示すコンテンツ情報を作成するコンテンツ情報作成部を具備し、
さらに、前記コンテンツ情報作成部が作成したコンテンツ情報を前記第２の情報処理端末へ提供するコンテンツ情報提供部を有し、
前記第２の情報処理端末は、前記コンテンツ情報提供部から提供されたコンテンツ情報が示す情報を出力する第２の出力部を具備する。
【０００８】
また、本発明の情報処理端末は、
情報を出力する出力部と、
生体情報を取得する生体情報取得部と、
前記生体情報取得部が取得した生体情報が、あらかじめ設定された条件を満たすかどうかを判定する条件判定部と、
前記条件判定部が、前記生体情報が前記条件を満たしていると判定した場合、前記出力部が出力している情報の内容を示すコンテンツ情報を作成するコンテンツ情報作成部と、
前記コンテンツ情報作成部が作成したコンテンツ情報を提供するコンテンツ情報提供部とを有する。
【０００９】
また、本発明の情報処理方法は、
情報を出力する処理と、
生体情報を取得する処理と、
前記取得した生体情報が、あらかじめ設定された条件を満たすかどうかを判定する処理と、
前記生体情報が前記条件を満たしていると判定した場合、前記出力している情報の内容を示すコンテンツ情報を作成する処理と、
前記作成したコンテンツ情報を提供する処理とを行う。
【００１０】
また、本発明のプログラムは、
コンピュータに実行させるためのプログラムであって、
情報を出力する手順と、
生体情報を取得する手順と、
前記取得した生体情報が、あらかじめ設定された条件を満たすかどうかを判定する手順と、
前記生体情報が前記条件を満たしていると判定した場合、前記出力している情報の内容を示すコンテンツ情報を作成する手順と、
前記作成したコンテンツ情報を提供する手順とを実行させる。
【発明の効果】
【００１１】
以上説明したように、本発明においては、利用者にとって不適切な情報が出力されたことを知ることができる。
【図面の簡単な説明】
【００１２】
【図１】本発明の情報処理システムの第１の実施の形態を示す図である。
【図２】図１に示した、閲覧者が操作する通信端末の内部構成の一例を示す図である。
【図３】図２に示した記憶部に記憶されている生体情報テーブルの一例を示す図である。
【図４】図２に示した記憶部に記憶されている閾値テーブルの一例を示す図である。
【図５】図２に示した記憶部に記憶されているコンテンツ情報テーブルの一例を示す図である。
【図６】図２に示した記憶部１８０に記憶されている閾値テーブルに時間情報を追加した例を示す図である。
【図７】図２に示した記憶部１８０に記憶されているコンテンツ情報テーブルに時間情報を追加した例を示す図である。
【図８】図１に示した、確認者が操作する通信端末の内部構成の一例を示す図である。
【図９】図１に示した、閲覧者が操作する通信端末におけるコンテンツ情報の作成処理の一例を説明するためのフローチャートである。
【図１０】図１に示した、確認者が操作する通信端末からコンテンツ情報が要求された場合の処理の一例を説明するためのシーケンス図である。
【図１１】図１に示した、確認者が操作する通信端末からコンテンツ情報が要求された場合の処理の他の例を説明するためのシーケンス図である。
【図１２】本発明の情報処理システムの第２の実施の形態を示す図である。
【図１３】図１２に示した、閲覧者が操作する通信端末の内部構成の一例を示す図である。
【図１４】図１２に示した管理サーバの内部構成の一例を示す図である。
【図１５】図１４に示した記憶部に記憶されたユーザ関連テーブルの一例を示す図である。
【図１６】図１２に示した、閲覧者が操作する通信端末および管理サーバにおけるコンテンツ情報の作成処理の一例を説明するためのシーケンス図である。
【図１７】図１２に示した、確認者が操作する通信端末からコンテンツ情報が要求された場合の処理の一例を説明するためのシーケンス図である。
【図１８】本発明の情報処理システムの第３の実施の形態を示す図である。
【図１９】図１８に示した、確認者が操作する通信端末の内部構成の一例を示す図である。
【図２０】図１８に示した、閲覧者が操作する通信端末におけるコンテンツ情報の作成処理の一例を説明するためのシーケンス図である。
【図２１】図１８に示した、確認者が操作する通信端末におけるコンテンツ情報の出力処理の一例を説明するためのフローチャートである。
【図２２】本発明の情報処理システムの第４の実施の形態を示す図である。
【図２３】図２２に示した、閲覧者が操作する通信端末の内部構成の一例を示す図である。
【図２４】図２２に示した、確認者が操作する通信端末の内部構成の一例を示す図である。
【図２５】図２２に示した通信端末におけるコンテンツ情報の作成処理の一例を説明するためのシーケンス図である。
【図２６】図２２に示した、確認者が操作する通信端末におけるコンテンツ情報の出力処理の一例を説明するためのフローチャートである。
【図２７】本発明の情報処理システムの第５の実施の形態を示す図である。
【図２８】図２７に示した管理サーバの内部構成の一例を示す図である。
【図２９】図２７に示した、閲覧者が操作する通信端末および管理サーバにおけるコンテンツ情報の作成処理の一例を説明するためのシーケンス図である。
【図３０】図２７に示した管理サーバおよび確認者が操作する通信端末におけるコンテンツ情報の出力処理の一例を説明するためのシーケンス図である。
【図３１】本発明の情報処理システムの第６の実施の形態を示す図である。
【図３２】本発明の情報処理システムの第７の実施の形態を示す図である。
【図３３】本発明の情報処理システムの第８の実施の形態を示す図である。
【図３４】本発明の情報処理システムの第９の実施の形態を示す図である。
【図３５】図３４に示した通信端末におけるコンテンツ情報の作成処理の一例を説明するためのシーケンス図である。
【図３６】本発明の情報処理システムの第１０の実施の形態を示す図である。
【図３７】図３６に示した、閲覧者が操作する通信端末および管理サーバにおけるコンテンツ情報の作成処理の一例を説明するためのシーケンス図である。
【発明を実施するための形態】
【００１３】
以下に、本発明の実施の形態について図面を参照して説明する。
（第１の実施の形態）
図１は、本発明の情報処理システムの第１の実施の形態を示す図である。
【００１４】
本形態は図１に示すように、通信端末１００−１，２００−１と、コンテンツ配信サーバ４００とが、互いに通信ネットワーク３００を介して通信可能となっている。また、図１に示した形態においては、通信端末１００−１が１台、通信端末２００−１が１台、コンテンツ配信サーバ４００が１台である場合を例に挙げて示しているが、その数は規定しない。
【００１５】
通信端末１００−１は、子供や生徒（児童）等のコンテンツ閲覧監視対象者（以下、閲覧者と称する）が操作する第１の情報処理端末である。
【００１６】
図２は、図１に示した通信端末１００−１の内部構成の一例を示す図である。
【００１７】
図１に示した通信端末１００−１には図２に示すように、生体情報測定部１１０と、生体情報取得部１２０と、条件判定部１３０と、通信部１４０と、出力部１５０と、コンテンツ情報作成部１６０と、コンテンツ情報提供部１７０と、記憶部１８０とが設けられている。なお、図２には、図１に示した通信端末１００−１に設けられた構成要素のうち、本実施の形態に関わる主要な構成要素の一例を示す。
【００１８】
生体情報測定部１１０は、通信端末１００−１を操作している利用者の生体情報を測定する。本発明では、コンテンツ閲覧者である通信端末１００−１を操作している利用者が、異常なコンテンツを閲覧した際、視聴中に脈拍等の生体情報に変化が生じることを利用するためである。ここで、生体情報測定部１１０が測定する生体情報は、例えば、通信端末１００−１を操作している利用者の脈拍数や、心拍数、発汗量、呼吸量、脳波、声紋（声のトーン）、アドレナリンの分泌量等、外部からの刺激に応じて変化し易い、その利用者の生理的な情報である。また、生体情報測定部１１０がこれらの生体情報を測定する方法として、１つの例を挙げる。例えば、脈拍数を生体情報とし、６０秒間の脈拍数を測定値とした場合、生体情報測定部１１０は、閲覧者の脈拍を測定開始から６０秒間検出し、その間に検出された脈拍数を、生体情報取得部１２０へ送信する。その後、生体情報取得部１２０は、取得した脈拍数を測定値とする。本発明では、閲覧者が閲覧したコンテンツの箇所を特定しやすくするために、生体情報測定部１１０は、閲覧者の脈拍を測定開始から既定の短期間（例えば、５秒間）または既定の脈拍数（例えば、５拍分）検出し、その間に検出された脈拍数または時間を、生体情報取得部１２０へ送信し、生体情報取得部１２０が、取得した脈拍数または時間から、６０秒間での脈拍数を予測し、予測した６０秒間の脈拍数を測定値としても良い。また、生体情報測定部１１０は、閲覧者の脈拍の検出を開始した後、脈拍の波形データを、そのまま生体情報取得部１２０へ送信し、生体情報取得部１２０が、取得した波形データを既定の間（例えば、５分間）分、一時記憶しておき、既定のタイミング（例えば、５秒間隔、５拍分）で、過去（例えば、５秒前や６０秒前など）の波形データを用いて、６０秒間での脈拍数を算出して、測定値としても良い。ただし、生体情報測定部１１０が生体情報を測定する方法は、医療機関等で実施している一般的な方法でも良い。また、生体情報測定部１１０が生体情報を測定するタイミングは、生体情報を測定する方法により、測定を開始するタイミングである場合や、生体情報を生体情報取得部１２０へ送信するタイミングである場合などがあるが、あらかじめ設定された周期や表示画面の遷移等を用いたタイミングで良い。ただし、後述する条件判定部１３０の判定に経過時間を用いる場合は、生体情報測定部１１０が生体情報を測定するタイミング（周期）は、その経過時間よりも短い周期を用いる必要がある。生体情報を測定する方法に応じて、閲覧者から生体情報の検出を開始するタイミングと、生体情報測定部１１０に検出される生体情報の測定を開始するタイミングとは、同時であっても良いし、生体情報を検出後に、あらかじめ設定されたタイミングで測定を開始しても良い。また、生体情報測定部１１０は、生体情報を測定するために、通信端末１００−１を操作している閲覧者に装着される。また、生体情報測定部１１０を含む通信端末１００−１の形状は、通信端末１００−１の筐体に、ベルトやリストバンド、手袋等の装着部が付されて、筐体が閲覧者に装着される腕時計型や、リストバンド型、手袋型等である。例えば、通信端末１００−１の形状が腕時計型である場合、通信端末１００−１の筐体の閲覧者の肌側に、生体情報測定部１１０が設けられている。生体情報測定部１１０は、測定対象となる生体情報を測定するために適した形状であれば良い。また、生体情報測定部１１０は、閲覧者に装着されているかどうかを検知するセンサを具備し、閲覧者に装着されている場合にのみ、生体情報の測定を行うものであっても良い。また、生体情報測定部１１０は、測定機能を有効にするか無効にするかを外部から設定できるスイッチを具備し、当該スイッチが、測定機能を有効にする設定となっている場合のみ、生体情報の測定を行うものであっても良い。生体情報測定部１１０は、出力部１５０がコンテンツを出力（表示）している場合のみ、生体情報の測定を行うものであっても良い。
【００１９】
生体情報取得部１２０は、生体情報測定部１１０が測定した生体情報を取得する。また、生体情報取得部１２０は、取得した生体情報を記憶部１８０へ書き込む。生体情報取得部１２０は、取得した生体情報から所定の算出法を用いて計算し、測定値を算出してから、記憶部１８０へ書き込んでも良い。なお、生体情報が記憶部１８０にすでに書きこまれている場合は、生体情報取得部１２０は、取得した生体情報を上書きするものであっても良いし、そのときの時刻と対応付けて追加して書き込むものであっても良い。
【００２０】
条件判定部１３０は、記憶部１８０に記憶されている生体情報が、あらかじめ設定された条件を満たすかどうかを判定する。この条件は、記憶部１８０にあらかじめ設定されている。ここで、条件判定部１３０は、記憶部１８０に記憶されている生体情報があらかじめ設定されている閾値を超えた場合、当該生体情報が条件を満たしていると判定する。また、条件判定部１３０は、記憶部１８０に記憶されている生体情報があらかじめ設定されている閾値を超えた状態が所定の時間以上続いた場合、当該生体情報が条件を満たしていると判定するものであっても良い。
【００２１】
なお、生体情報取得部１２０は、取得した生体情報すべてを記憶部１８０へ書き込むのではなく、条件判定部１３０が条件を満たしていると判定した生体情報だけを記憶部１８０へ書き込むものであっても良い。
【００２２】
通信部１４０は、通信ネットワーク３００との間で通信を行う通信インタフェース機能を有する。
【００２３】
出力部１５０は、情報を出力する（第１の出力部）。例えば、出力部１５０は、情報を表示することで出力するものであっても良いし、音声として出力するものであっても良い。また、出力部１５０が出力したコンテンツを既定時間分（例えば、生体情報の測定開始から終了まで間の時間分や５分間分など）一時的に記憶部１８０が記憶しておくものであっても良い。
【００２４】
コンテンツ情報作成部１６０は、条件判定部１３０が、生体情報が条件を満たしていると判定した場合、出力部１５０が出力している情報の内容を示すコンテンツ情報を作成する。このコンテンツ情報は、出力部１５０が現在表示している画面をキャプチャしたキャプチャ画面や、出力部１５０が現在表示している電子メールの本文のテキスト情報、出力部１５０が現在表示している動画データのファイルおよびファイル名、出力部１５０が現在表示している動画データのうちのいくつかの静止画データのファイルおよびファイル名、出力部１５０が現在表示している画面を取得するために接続されているサイトのＵＲＬ（Ｕｎｉｆｏｒｍ  Ｒｅｓｏｕｒｃｅ  Ｌｏｃａｔｏｒ）を示す情報等であり、通信端末２００−１にて、このコンテンツ情報に基づいて、通信端末１００−１を操作してコンテンツを閲覧している閲覧者が、どのようなコンテンツを閲覧していたかを認識することができる情報である。また、コンテンツ情報作成部１６０は、作成したコンテンツ情報を記憶部１８０へ書き込む。また、出力部１５０が出力したコンテンツが既定時間分、一時的に記憶部１８０に記憶されている場合は、コンテンツ情報作成部１６０は、その一時的に記憶されているコンテンツの全てまたは一部から、コンテンツ情報を作成し、記憶部１８０へ書き込むようにしても良い。
【００２５】
コンテンツ情報提供部１７０は、記憶部１８０が記憶しているコンテンツ情報を、通信部１４０を用いて、通信ネットワーク３００を介して通信端末２００−１へ提供（送信）する。また、コンテンツ情報提供部１７０は、通信端末２００−１へのコンテンツ情報の送信履歴を記憶しておき、通信端末１００−１へすでに送信済みのコンテンツ情報は送信しないものであっても良い。また、コンテンツ情報提供部１７０が通信端末２００−１へ提供（送信）するコンテンツ情報は、所定の期間に作成されて記憶されたコンテンツ情報に限定しても良い。
【００２６】
記憶部１８０は、あらかじめ設定された閾値や、生体情報取得部１２０が書き込んだ生体情報、コンテンツ情報作成部１６０が書き込んだコンテンツ情報等の情報を記憶する。
【００２７】
図３は、図２に示した記憶部１８０に記憶されている生体情報テーブルの一例を示す図である。
【００２８】
図２に示した記憶部１８０に記憶されている生体情報テーブルは図３に示すように、生体情報名と、測定値とが対応付けられた構成となっている。生体情報名は、生体情報測定部１１０が測定した生体情報の種別を示す情報である。測定値は、生体情報測定部１１０が測定した生体情報を用いた値である。なお、生体情報テーブルには、その測定値がどの閲覧者のものなのかを示す閲覧者識別子も対応付けて記憶される。
【００２９】
図４は、図２に示した記憶部１８０に記憶されている閾値テーブルの一例を示す図である。
【００３０】
図２に示した記憶部１８０に記憶されている閾値テーブルは図４に示すように、生体情報名と、閾値とが対応付けられた構成となっている。閾値は、条件判定部１３０が判定の基準として用いる情報である。例えば、図４に示した閾値テーブルが記憶部１８０に記憶されており、図３に示した生体情報テーブルが記憶部１８０に記憶されている場合、生体情報テーブルに記憶されている脈拍数「１２０」が閾値テーブルに記憶されている脈拍数の閾値「１１０」を超えているため、条件判定部１３０は、当該生体情報が条件を満たしていると判定する。
【００３１】
図５は、図２に示した記憶部１８０に記憶されているコンテンツ情報テーブルの一例を示す図である。
【００３２】
図２に示した記憶部１８０に記憶されているコンテンツ情報テーブルには図５に示すように、コンテンツデータ名と、判定時刻と、閲覧者識別子とが対応付けられたコンテンツ情報が記憶されている。判定時刻は、条件判定部１３０が条件を満たしていると判定した時刻を示す情報である。コンテンツデータ名は、判定時刻において、出力部１５０が出力（表示）していた画面をキャプチャしたキャプチャ画面情報を示す情報（例えば、ファイル名等）である。閲覧者識別子は、判定時刻において、通信端末１００−１を操作していた閲覧者の識別情報である。なお、コンテンツ情報は、閲覧者識別子を含まないものであっても良い。また、通信端末１００−１を複数の利用者が使用する場合、それぞれの利用者が通信端末１００−１を用いてログインを行うために入力する、それぞれの閲覧者識別子がコンテンツ情報に付加されても良い。
【００３３】
また、閾値テーブルに、時間情報を追加したものであっても良く、以下にその例を示す。
【００３４】
図６は、図２に示した記憶部１８０に記憶されている閾値テーブルに時間情報を追加した例を示す図である。
【００３５】
図２に示した記憶部１８０に記憶されている閾値テーブルは図６に示すように、生体情報名と、閾値とに加えて、経過時間が対応付けられた構成となっている。例えば、図６に示した閾値テーブルが記憶部１８０に記憶されている場合、条件判定部１３０は、生体情報テーブルに記憶されている脈拍数が閾値テーブルに記憶されている脈拍数の閾値を超えた状態が５分以上続いた場合、当該生体情報が条件を満たしていると判定する。
【００３６】
また、コンテンツ情報テーブルに条件判定部１３０が条件を満たしていると判定した時間情報を追加したものであっても良く、以下にその例を示す。
【００３７】
図７は、図２に示した記憶部１８０に記憶されているコンテンツ情報テーブルに時間情報を追加した例を示す図である。
【００３８】
図２に示した記憶部１８０に記憶されているコンテンツ情報テーブルには図７に示すように、コンテンツデータ名と、判定開始時刻と、判定終了時刻と、判定時間と、閲覧者識別子とが対応付けられたコンテンツ情報が記憶されている。判定開始時刻は、条件判定部１３０が条件を満たしていないと判定している状態から、条件を満たしていると判定している状態に変化したときの時刻を示す情報である。判定終了時刻は、条件判定部１３０が条件を満たしていると判定している状態から、条件を満たしていないと判定している状態に変化したときの時刻を示す情報である。判定時間は、判定開始時刻から判定終了時刻までの時間を示す。条件判定部１３０が、前述した経過時間を用いて判定を行う場合に、この判定時間が利用される。
【００３９】
通信端末２００−１は、通信端末１００−１が閲覧したコンテンツを監視する親や教員等の監視者（以下、確認者と称する）が操作する第２の情報処理端末である。
【００４０】
図８は、図１に示した通信端末２００−１の内部構成の一例を示す図である。
【００４１】
図１に示した通信端末２００−１には図８に示すように、入力部２１０と、制御部２２０と、通信部２３０と、出力部２４０とが設けられている。なお、図８には、図１に示した通信端末２００−１に設けられた構成要素のうち、本実施の形態に関わる主要な構成要素の一例を示す。
【００４２】
入力部２１０は、外部からの情報の入力を受け付ける。入力部２１０は、例えば、入力キーボタン等のハードウェアで構成された所定のキーや、タッチパネルを用いたものであっても良い。
【００４３】
制御部２２０は、入力部２１０が所定の入力を受け付けた場合、通信部２３０を用いて、通信ネットワーク３００を介して通信端末１００−１へコンテンツ情報の取得を要求する。また、制御部２２０は、通信端末１００−１から通信ネットワーク３００を介してコンテンツ情報が提供（送信）されてきた場合、当該コンテンツ情報が示す情報を出力部２４０に出力させる。
【００４４】
通信部２３０は、通信ネットワーク３００との間で通信を行う通信インタフェース機能を有する。
【００４５】
出力部２４０は、制御部２２０からの指示に従って情報を出力する（第２の出力部）。例えば、出力部２４０は、情報を表示することで出力するものであっても良いし、音声として出力するものであっても良い。
【００４６】
コンテンツ配信サーバ４００は、通信端末１００−１へコンテンツを配信するサーバである。このコンテンツには、静止画や動画、アプリのようなマルチメディアコンテンツ、電子メールや小説、電子掲示板でのコメント、メッセージ交換サービスのメッセージのようなテキストコンテンツなどのいずれか１つを含む。また、コンテンツ配信サーバ４００が配信するコンテンツは、通信端末１００−１からダウンロード可能なものであっても良い。また、コンテンツ情報がＵＲＬ等で、通信端末２００−１にて、当該コンテンツ情報だけでは、閲覧者がどのようなコンテンツを閲覧していたかを認識することができない場合は、通信端末２００−１から当該コンテンツ情報を用いて、コンテンツ配信サーバ４００にアクセスし、コンテンツ配信サーバ４００から、再配信またはダウンロードすることが可能であってもよい。
【００４７】
以下に、図１に示した形態における情報処理方法について説明する。まずは、図１に示した通信端末１００−１におけるコンテンツ情報の作成処理について説明する。ここでは、生体情報が脈拍数である場合を例に挙げて説明する。また、出力部１５０がコンテンツを表示することで出力する場合を例に挙げて説明する。
【００４８】
図９は、図１に示した通信端末１００−１におけるコンテンツ情報の作成処理の一例を説明するためのフローチャートである。
【００４９】
まず、通信端末１００−１を操作している閲覧者に装着された生体情報測定部１１０が、所定の測定方法および所定のタイミングで当該閲覧者の脈拍数を測定する（ステップＳ１）。続いて、生体情報取得部１２０は、生体情報測定部１１０が測定した脈拍数を、生体情報測定部１１０から取得する（ステップＳ２）。そして、生体情報取得部１２０は、取得した脈拍数を、必要なら計算してから、記憶部１８０の生体情報テーブルに書き込んで記憶させる。
【００５０】
すると、条件判定部１３０は、記憶部１８０の生体情報テーブルに記憶されている脈拍数が、記憶部１８０の閾値テーブルにあらかじめ設定されている閾値を超えているかどうかを判定する（ステップＳ３）。条件判定部１３０が、記憶部１８０の生体情報テーブルに記憶されている脈拍数が、記憶部１８０の閾値テーブルにあらかじめ設定されている閾値を超えていると判定した場合、コンテンツ情報作成部１６０は、出力部１５０がコンテンツを表示中であるかどうかを判定する（ステップＳ４）。
【００５１】
コンテンツ情報作成部１６０が、出力部１５０がコンテンツを表示中であると判定した場合、コンテンツ情報作成部１６０は、表示中のコンテンツの内容を示すコンテンツ情報を作成し（ステップＳ５）、記憶部１８０のコンテンツ情報テーブルに書き込んで記憶させる（ステップＳ６）。
【００５２】
一方、ステップＳ３にて、条件判定部１３０が、記憶部１８０の生体情報テーブルに記憶されている脈拍数が、記憶部１８０の閾値テーブルにあらかじめ設定されている閾値を超えていないと判定した場合や、ステップＳ４にて、コンテンツ情報作成部１６０が、出力部１５０がコンテンツを表示中ではないと判定した場合は、次のタイミングでステップＳ１の処理が行われる。
【００５３】
また、ステップＳ１において、出力部１５０がコンテンツを表示中であるかどうかを判定し、コンテンツ情報作成部１６０が、出力部１５０がコンテンツを表示中であると判定した場合に、当該閲覧者の脈拍数を測定してもよい。その場合は、ステップＳ２，Ｓ３およびＳ５（ステップＳ４は行わない）において、条件判定部１３０が、記憶部１８０の生体情報テーブルに記憶されている脈拍数が、記憶部１８０の閾値テーブルにあらかじめ設定されている閾値を超えていると判定した場合、コンテンツ情報作成部１６０は、表示中のコンテンツの内容を示すコンテンツ情報を作成すれば良い。
【００５４】
また、例えば、脈拍数や心拍数などの測定時間や検出したデータがある程度必要な生体情報の場合、連続的に測定した生体情報を取得し、ステップＳ２の後に、取得した生体情報を既定時間分の連続データ（例えば、波形データ）として、生体情報取得部１２０が記憶部１８０に書き込む前処理と、記憶部１８０に書き込んだ生体情報の連続データを用いて、条件を満たすかどうかを判定するステップＳ３以降の後処理とに処理を分けてもよい。この場合、ステップＳ３で閾値を超えていないと条件判定部１３０が判定した場合や、ステップＳ４で表示中ではないとコンテンツ情報作成部１６０が判定した場合、ステップＳ６の処理の後は、次のタイミングでステップＳ３の処理が行われる。また、後処理を行うタイミングは、前処理とは異なる所定のタイミングで行っても良い。
【００５５】
次に、図１に示した通信端末２００−１からコンテンツ情報が要求された場合の処理について説明する。
【００５６】
図１０は、図１に示した通信端末２００−１からコンテンツ情報が要求された場合の処理の一例を説明するためのシーケンス図である。
【００５７】
通信端末２００−１の入力部２１０が所定の入力を受け付けた場合、制御部２２０は通信部２３０を用いて、通信ネットワーク３００を介して通信端末１００−１へコンテンツ情報の取得を要求する（ステップＳ１１）。この要求には、通信端末１００−１にて、コンテンツ情報の取得の要求がなされたことを認識することができる要求信号を用いるものでも良い。
【００５８】
通信端末２００−１からコンテンツ情報の取得が要求されると、コンテンツ情報提供部１７０は、記憶部１８０のコンテンツ情報テーブルに記憶されているコンテンツ情報を読み出す（ステップＳ１２）。そして、コンテンツ情報提供部１７０は、読み出したコンテンツ情報を、通信部１４０を用いて通信ネットワーク３００を介して通信端末２００−１へ送信する（ステップＳ１３）。
【００５９】
通信端末１００−１から送信されたコンテンツ情報を通信部２３０が受信すると、制御部２２０は、当該コンテンツ情報が示す情報を出力部２４０に出力させる（ステップＳ１４）。この情報は、コンテンツ情報にキャプチャ画面そのものが含まれている場合、当該キャプチャ画面であっても良いし、コンテンツ情報にコンテンツの配信サイトのＵＲＬが含まれる場合、当該ＵＲＬであっても良い。
【００６０】
また、通信端末１００−１がコンテンツ情報を作成した際、その旨を示す通知を通信端末２００−１へ行うものであっても良い。
【００６１】
図１１は、図１に示した通信端末２００−１からコンテンツ情報が要求された場合の処理の他の例を説明するためのシーケンス図である。
【００６２】
通信端末１００−１のコンテンツ情報作成部１６０がコンテンツ情報を作成し、記憶部１８０に書き込むと、コンテンツ情報提供部１７０が通信部１４０を用いて、通信端末２００−１へ所定の通知を行う（ステップＳ２１）。この通知は、例えば、電子メール等を用いて、コンテンツ情報が作成されたことを通信端末２００−１が認識できるものであれば良い。通信端末１００−１から行われた通知を通信端末２００−１の通信部２３０が受信すると、制御部２２０は、その旨を出力部２４０に出力させる（ステップＳ２２）。例えば、制御部２２０は、コンテンツ情報が作成されたことを示すメッセージを、出力部２４０に表示させる。
【００６３】
その後、通信端末２００−１の入力部２１０が所定の入力を受け付けたかどうかを制御部２２０が判定する（ステップＳ２３）。通信端末２００−１の入力部２１０が所定の入力を受け付けたと制御部２２０が判定した場合、制御部２２０は通信部２３０を用いて、通信ネットワーク３００を介して通信端末１００−１へコンテンツ情報の取得を要求する（ステップＳ２４）。
【００６４】
通信端末２００−１からコンテンツ情報の取得が要求されると、コンテンツ情報提供部１７０は、記憶部１８０のコンテンツ情報テーブルに記憶されているコンテンツ情報を読み出し（ステップＳ２５）、通信部１４０を用いて通信ネットワーク３００を介して通信端末２００−１へ送信する（ステップＳ２６）。
【００６５】
通信端末１００−１から送信されたコンテンツ情報を通信部２３０が受信すると、制御部２２０は、当該コンテンツ情報が示す情報を出力部２４０に出力させる（ステップＳ２７）。
（第２の実施の形態）
図１２は、本発明の情報処理システムの第２の実施の形態を示す図である。
【００６６】
本形態は図１２に示すように、通信端末１００−２，２００−１と、コンテンツ配信サーバ４００と、管理サーバ５００−１とが、互いに通信ネットワーク３００を介して通信可能となっている。また、図１２に示した形態においては、通信端末１００−２が１台、通信端末２００−１が１台、コンテンツ配信サーバ４００が１台である場合を例に挙げて示しているが、その数は規定しない。第２の実施の形態では、通信端末１００−２が作成したコンテンツ情報を管理サーバ５００−１が記憶する。
【００６７】
通信端末２００−１およびコンテンツ配信サーバ４００は、図１に示したものと同じものである。
【００６８】
通信端末１００−２は、閲覧者が操作する第１の情報処理端末である。
【００６９】
図１３は、図１２に示した通信端末１００−２の内部構成の一例を示す図である。
【００７０】
図１２に示した通信端末１００−２には図１３に示すように、生体情報測定部１１０と、生体情報取得部１２０と、条件判定部１３０と、通信部１４０と、出力部１５０と、コンテンツ情報作成部１６１と、コンテンツ情報提供部１７１と、記憶部１８１とが設けられている。なお、図１３には、図１２に示した通信端末１００−２に設けられた構成要素のうち、本実施の形態に関わる主要な構成要素の一例を示す。
【００７１】
生体情報測定部１１０、生体情報取得部１２０、条件判定部１３０、通信部１４０および出力部１５０は、図２に示したものと同じものである。
【００７２】
コンテンツ情報作成部１６１は、図２に示したコンテンツ情報作成部１６０と同様に、コンテンツ情報を作成するが、図２に示したコンテンツ情報作成部１６０のように作成したコンテンツ情報を記憶部に書き込むのではなく、コンテンツ情報提供部１７１へ出力する。
【００７３】
コンテンツ情報提供部１７１は、コンテンツ情報作成部１６１から出力されてきたコンテンツ情報を、通信部１４０を用いて通信ネットワーク３００を介して管理サーバ５００−１へ送信する。
【００７４】
記憶部１８１は、図２に示した記憶部１８０が記憶する情報のうち、コンテンツ情報テーブルを記憶しないものである（他の生体情報テーブルおよび閾値テーブルを記憶する）。
【００７５】
管理サーバ５００−１は、通信端末１００−２から送信されてきたコンテンツ情報を記憶する。また、管理サーバ５００−１は、通信端末２００−１からコンテンツ情報を要求されると、記憶しているコンテンツ情報を、通信ネットワーク３００を介して通信端末２００−１へ送信する。
【００７６】
図１４は、図１２に示した管理サーバ５００−１の内部構成の一例を示す図である。
【００７７】
図１２に示した管理サーバ５００−１には図１４に示すように、通信部５１０と、制御部５２０と、記憶部５３０とが設けられている。なお、図１４には、図１２に示した管理サーバ５００−１に設けられた構成要素のうち、本実施の形態に関わる主要な構成要素の一例を示す。
【００７８】
通信部５１０は、通信ネットワーク３００との間で通信を行う通信インタフェース機能を有する。
【００７９】
制御部５２０は、通信端末１００−２から送信されてきたコンテンツ情報を記憶部５３０に書き込んで記憶させる。また、制御部５２０は、記憶部５３０が記憶しているコンテンツ情報を、通信部５１０を用いて、通信ネットワーク３００を介して通信端末２００−１へ提供（送信）する。このように、制御部５２０は、第１の実施の形態におけるコンテンツ情報提供部１７０の役割を果たす。
【００８０】
記憶部５３０は、制御部５２０に書き込まれたコンテンツ情報を記憶する。記憶部５３０が記憶するコンテンツ情報の詳細は、第１の実施の形態における記憶部１８０に記憶されたコンテンツ情報テーブルの内容と同じである。また、記憶部５３０は、あらかじめ設定されている閲覧者と確認者との対応付けをユーザ関連テーブルとして記憶する。
【００８１】
図１５は、図１４に示した記憶部５３０に記憶されたユーザ関連テーブルの一例を示す図である。
【００８２】
図１４に示した記憶部５３０に記憶されたユーザ関連テーブルには図１５に示すように、閲覧者識別子と、確認者識別子と、確認者連絡先とが対応付けられて記憶されている。閲覧者識別子は、閲覧者を識別可能な識別情報である。確認者識別子は、確認者を識別可能な識別情報である。確認者連絡先は、確認者に対してコンテンツ情報を送信する際に用いる宛先情報である。このように、記憶部５３０にて閲覧者と確認者とを対応付けておき、確認者からコンテンツ情報を要求された際、制御部５２０がこの対応付けを参照することで、制御部５２０は、その確認者に対してどの閲覧者のコンテンツ情報を送信すれば良いかを識別することができる。例えば、確認者識別子が「ＡＡＡ０１」である確認者からコンテンツ情報を要求された場合、制御部５２０は、記憶部５３０に記憶されているユーザ関連テーブルにて確認者識別子「ＡＡＡ０１」と対応付けられている閲覧者識別子「ａａａ０１」のコンテンツ情報を送信すればよいことを認識する。
【００８３】
以下に、図１２に示した形態における情報処理方法について説明する。まずは、図１２に示した通信端末１００−２および管理サーバ５００−１におけるコンテンツ情報の作成処理について説明する。ここでは、生体情報が脈拍数である場合を例に挙げて説明する。また、出力部１５０がコンテンツを表示することで出力する場合を例に挙げて説明する。
【００８４】
図１６は、図１２に示した通信端末１００−２および管理サーバ５００−１におけるコンテンツ情報の作成処理の一例を説明するためのシーケンス図である。
【００８５】
まず、通信端末１００−２を操作している閲覧者に装着された生体情報測定部１１０が、所定のタイミングで当該閲覧者の脈拍数を測定する（ステップＳ３１）。続いて、生体情報取得部１２０は、生体情報測定部１１０が測定した脈拍数を、生体情報測定部１１０から取得する（ステップＳ３２）。そして、生体情報取得部１２０は、取得した脈拍数を記憶部１８１の生体情報テーブルに書き込んで記憶させる。
【００８６】
すると、条件判定部１３０は、記憶部１８１の生体情報テーブルに記憶されている脈拍数が、記憶部１８１の閾値テーブルにあらかじめ設定されている閾値を超えているかどうかを判定する（ステップＳ３３）。条件判定部１３０が、記憶部１８１の生体情報テーブルに記憶されている脈拍数が、記憶部１８１の閾値テーブルにあらかじめ設定されている閾値を超えていると判定した場合、コンテンツ情報作成部１６１は、出力部１５０がコンテンツを表示中であるかどうかを判定する（ステップＳ３４）。
【００８７】
コンテンツ情報作成部１６１が、出力部１５０がコンテンツを表示中であると判定した場合、コンテンツ情報作成部１６１は、表示中のコンテンツの内容を示すコンテンツ情報を作成し、コンテンツ情報提供部１７１へ出力する（ステップＳ３５）。続いて、コンテンツ情報提供部１７１は、コンテンツ情報作成部１６１から出力されてきたコンテンツ情報を、通信部１４０を用いて、通信ネットワーク３００を介して、管理サーバ５００−１へ送信する（ステップＳ３６）。このとき、コンテンツ情報提供部１７１は、コンテンツ情報に閲覧者識別子を含めて管理サーバ５００−１へ送信する。
【００８８】
通信端末１００−２から送信されたコンテンツ情報を管理サーバ５００−１の通信部５１０が受信すると、制御部５２０は、通信部５１０が受信したコンテンツ情報を記憶部５３０に書き込んで記憶させる（ステップＳ３７）。
【００８９】
一方、ステップＳ３３にて、条件判定部１３０が、記憶部１８１の生体情報テーブルに記憶されている脈拍数が、記憶部１８１の閾値テーブルにあらかじめ設定されている閾値を超えていないと判定した場合や、ステップＳ３４にて、コンテンツ情報作成部１６１が、出力部１５０がコンテンツを表示中ではないと判定した場合は、次のタイミングでステップＳ３１の処理が行われる。
【００９０】
次に、図１２に示した通信端末２００−１からコンテンツ情報が要求された場合の処理について説明する。
【００９１】
図１７は、図１２に示した通信端末２００−１からコンテンツ情報が要求された場合の処理の一例を説明するためのシーケンス図である。
【００９２】
通信端末２００−１の入力部２１０が所定の入力を受け付けた場合、制御部２２０は通信部２３０を用いて、通信ネットワーク３００を介して管理サーバ５００−１へコンテンツ情報の取得を要求する（ステップＳ４１）。この要求には、管理サーバ５００−１にて、コンテンツ情報の取得の要求がなされたことを認識することができる要求信号を用いるもので良い。また、その要求信号には、確認者識別子が含まれている。
【００９３】
通信端末２００−１からコンテンツ情報の取得が要求されると、制御部５２０は、その要求信号に含まれる確認者識別子と対応付けられている閲覧者識別子を記憶部５３０に記憶されているユーザ関連テーブルから読み出す。そして、制御部５２０は、読み出した閲覧者識別子と対応付けられているコンテンツ情報を記憶部５３０から読み出す（ステップＳ４２）。そして、制御部５２０は、読み出したコンテンツ情報を、通信部５１０を用いて通信ネットワーク３００を介して通信端末２００−１へ送信する（ステップＳ４３）。
【００９４】
管理サーバ５００−１から送信されたコンテンツ情報を通信部２３０が受信すると、制御部２２０は、当該コンテンツ情報が示す情報を出力部２４０に出力させる（ステップＳ４４）。この情報は、コンテンツ情報にキャプチャ画面そのものが含まれている場合、当該キャプチャ画面であっても良いし、コンテンツ情報にコンテンツの配信サイトのＵＲＬが含まれる場合、当該ＵＲＬであっても良い。
【００９５】
また、管理サーバ５００−１が通信端末１００−２からコンテンツ情報を受信した際、その旨を示す通知を通信端末２００−１へ行うものであっても良い。この通知に用いる宛先は、記憶部５３０のユーザ関連テーブルに記憶されている確認者連絡先の電子メールアドレス等で良い。その通知を受けた場合の通信端末２００−１の処理は、図１１に示したシーケンス図を用いて説明した処理と同様（通信端末１００−１の処理が管理サーバ５００−１の処理となる）である。
【００９６】
なお、その他については、第１の実施の形態と同様であっても良い。
（第３の実施の形態）
図１８は、本発明の情報処理システムの第３の実施の形態を示す図である。
【００９７】
本形態は図１８に示すように、通信端末１００−２，２００−２と、コンテンツ配信サーバ４００とが、互いに通信ネットワーク３００を介して通信可能となっている。また、図１８に示した形態においては、通信端末１００−２が１台、通信端末２００−２が１台、コンテンツ配信サーバ４００が１台である場合を例に挙げて示しているが、その数は規定しない。第３の実施の形態では、通信端末１００−２が作成したコンテンツ情報を通信端末２００−２が記憶する。
【００９８】
通信端末１００−２およびコンテンツ配信サーバ４００は、図１２に示したものと同じものである。ただし、通信端末１００−２は、作成したコンテンツ情報を、図１２に示したような管理サーバ５００−１ではなく、通信端末２００−２へ送信する。
【００９９】
通信端末２００−２は、確認者が操作する第２の情報処理端末である。
【０１００】
図１９は、図１８に示した通信端末２００−２の内部構成の一例を示す図である。
【０１０１】
図１８に示した通信端末２００−２には図１９に示すように、入力部２１０と、制御部２２１と、通信部２３０と、出力部２４０と、記憶部２５０とが設けられている。なお、図１９には、図１８に示した通信端末２００−２に設けられた構成要素のうち、本実施の形態に関わる主要な構成要素の一例を示す。
【０１０２】
入力部２１０、通信部２３０および出力部２４０は、図８に示したものと同じものである。
【０１０３】
制御部２２１は、図８に示した制御部２２０が具備する機能に加えて、通信端末１００−２から送信されてきたコンテンツ情報を記憶部２５０に書き込んで記憶させる機能を有する。また、制御部２２１は、確認者の操作で、入力部２１０が所定の入力を受け付けた場合、記憶部２５０が記憶しているコンテンツ情報を読み出し、読み出したコンテンツ情報が示す情報を出力部２４０に出力させる。
【０１０４】
記憶部２５０は、制御部２２１が書き込んだコンテンツ情報を記憶する。
【０１０５】
以下に、図１８に示した形態における情報処理方法について説明する。まずは、図１２に示した通信端末１００−２におけるコンテンツ情報の作成処理について説明する。ここでは、生体情報が脈拍数である場合を例に挙げて説明する。また、出力部１５０がコンテンツを表示することで出力する場合を例に挙げて説明する。
【０１０６】
図２０は、図１８に示した通信端末１００−２におけるコンテンツ情報の作成処理の一例を説明するためのシーケンス図である。
【０１０７】
まず、通信端末１００−２を操作している閲覧者に装着された生体情報測定部１１０が、所定のタイミングで当該閲覧者の脈拍数を測定する（ステップＳ５１）。続いて、生体情報取得部１２０は、生体情報測定部１１０が測定した脈拍数を、生体情報測定部１１０から取得する（ステップＳ５２）。そして、生体情報取得部１２０は、取得した脈拍数を記憶部１８１の生体情報テーブルに書き込んで記憶させる。
【０１０８】
すると、条件判定部１３０は、記憶部１８１の生体情報テーブルに記憶されている脈拍数が、記憶部１８１の閾値テーブルにあらかじめ設定されている閾値を超えているかどうかを判定する（ステップＳ５３）。条件判定部１３０が、記憶部１８１の生体情報テーブルに記憶されている脈拍数が、記憶部１８１の閾値テーブルにあらかじめ設定されている閾値を超えていると判定した場合、コンテンツ情報作成部１６１は、出力部１５０がコンテンツを表示中であるかどうかを判定する（ステップＳ５４）。
【０１０９】
コンテンツ情報作成部１６１が、出力部１５０がコンテンツを表示中であると判定した場合、コンテンツ情報作成部１６１は、表示中のコンテンツの内容を示すコンテンツ情報を作成し、コンテンツ情報提供部１７１へ出力する（ステップＳ５５）。続いて、コンテンツ情報提供部１７１は、コンテンツ情報作成部１６１から出力されてきたコンテンツ情報を、通信部１４０を用いて、通信ネットワーク３００を介して、通信端末２００−２へ送信する（ステップＳ５６）。
【０１１０】
通信端末１００−２から送信されたコンテンツ情報を通信端末２００−２の通信部２３０が受信すると、制御部２２１は、通信部２３０が受信したコンテンツ情報を記憶部２５０に書き込んで記憶させる（ステップＳ５７）。
【０１１１】
一方、ステップＳ５３にて、条件判定部１３０が、記憶部１８１の生体情報テーブルに記憶されている脈拍数が、記憶部１８１の閾値テーブルにあらかじめ設定されている閾値を超えていないと判定した場合や、ステップＳ５４にて、コンテンツ情報作成部１６１が、出力部１５０がコンテンツを表示中ではないと判定した場合は、次のタイミングでステップＳ５１の処理が行われる。
【０１１２】
次に、図１８に示した通信端末２００−２におけるコンテンツ情報の出力処理について説明する。
【０１１３】
図２１は、図１８に示した通信端末２００−２におけるコンテンツ情報の出力処理の一例を説明するためのフローチャートである。
【０１１４】
まず、制御部２２１は、通信端末２００−２の外部からコンテンツ情報の出力の要求があったかどうかを判定する（ステップＳ６１）。この判定は、入力部２１０に、コンテンツ情報の出力を要求するための所定の入力があったかどうかを、制御部２２１が判定することで行う。制御部２２１が、通信端末２００−２の外部からコンテンツ情報の出力の要求があったと判定した場合、制御部２２１は、記憶部２５０に記憶されているコンテンツ情報を読み出す（ステップＳ６２）。続いて、制御部２２１は読み出したコンテンツ情報が示す情報を出力部２４０に出力させる（ステップＳ６３）。この情報は、コンテンツ情報にキャプチャ画面そのものが含まれている場合、当該キャプチャ画面であっても良いし、コンテンツ情報にコンテンツの配信サイトのＵＲＬが含まれる場合、当該ＵＲＬであっても良い。
【０１１５】
なお、その他については、第１の実施の形態と同様であっても良い。
（第４の実施の形態）
図２２は、本発明の情報処理システムの第４の実施の形態を示す図である。
【０１１６】
本形態は図２２に示すように、通信端末１００−３，２００−３と、コンテンツ配信サーバ４００とが、互いに通信ネットワーク３００を介して通信可能となっている。また、図２２に示した形態においては、通信端末１００−３が１台、通信端末２００−３が１台、コンテンツ配信サーバ４００が１台である場合を例に挙げて示しているが、その数は規定しない。第４の実施の形態では、測定された生体情報が条件を満たしているかどうかを通信端末２００−３が判定する。
【０１１７】
コンテンツ配信サーバ４００は、図１に示したものと同じものである。
【０１１８】
通信端末１００−３は、閲覧者が操作する第１の情報処理端末である。
【０１１９】
図２３は、図２２に示した通信端末１００−３の内部構成の一例を示す図である。
【０１２０】
図２２に示した通信端末１００−３には図２３に示すように、生体情報測定部１１０と、生体情報取得部１２１と、通信部１４０と、出力部１５０と、コンテンツ情報作成部１６２と、コンテンツ情報提供部１７１と、記憶部１８２とが設けられている。なお、図２３には、図２２に示した通信端末１００−３に設けられた構成要素のうち、本実施の形態に関わる主要な構成要素の一例を示す。
【０１２１】
生体情報測定部１１０、通信部１４０および出力部１５０は、図２に示したものと同じものである。また、コンテンツ情報提供部１７１は、図１３に示したものと同じものである。
【０１２２】
生体情報取得部１２１は、生体情報測定部１１０が測定した生体情報を取得する。また、取得した生体情報を、通信部１４０を用いて通信ネットワーク３００を介して通信端末２００−３へ送信する。
【０１２３】
コンテンツ情報作成部１６２は、通信端末２００−３からコンテンツ情報の作成を要求されると、コンテンツ情報を作成する。ここで、所定の条件を満たす生体情報が測定された時点と、測定された生体情報を通信端末２００−３へ送信し、その生体情報が条件を満たしているかどうかを通信端末２００−３が判定し、通信端末２００−３から送信されたコンテンツ情報の作成の要求を受信した時点とに、通信における伝搬遅延（タイムラグ）が発生する。この伝搬遅延により、コンテンツ情報の作成の要求を受信したときに出力部１５０が出力している情報の内容を示すコンテンツ情報を作成すると、測定された生体情報が条件を満たしたときに出力部１５０が出力している情報とは異なる内容のコンテンツ情報を作成してしまうおそれがある。
【０１２４】
そこで、生体情報取得部１２１は、生体情報測定部１１０が測定した生体情報を取得する際、測定時刻も取得して、通信端末２００−３へ送信する。そして、通信端末２００−３は、生体情報が条件を満たしていると判定した場合、その生体情報とともに送信されてきた測定時刻をコンテンツ情報の作成の要求とともに通信端末１００−３へ送信する。一方、コンテンツ情報作成部１６２は、例えば、出力部１５０が出力しているコンテンツを数分間、出力時刻とともに記憶部１８２に記憶させておき、通信端末２００−３からコンテンツ情報の作成の要求が送信されてきた場合、それとともに送信されてきた測定時刻と同じ出力時刻とともに記憶部１８０に記憶されているコンテンツを記憶部１８０から読み出し、読み出したコンテンツに基づいてコンテンツ情報を作成する。
【０１２５】
また、コンテンツ情報作成部１６２は、作成したコンテンツ情報をコンテンツ情報提供部１７１へ出力する。
【０１２６】
記憶部１８２は、前述したように、出力部１５０が出力しているコンテンツを、所定の時間、出力時刻とともに記憶する。また、記憶部１８２は、生体情報テーブルや閾値テーブルを記憶しない。
【０１２７】
通信端末２００−３は、確認者が操作する第２の情報処理端末である。
【０１２８】
図２４は、図２２に示した通信端末２００−３の内部構成の一例を示す図である。
【０１２９】
図２２に示した通信端末２００−３には図２４に示すように、入力部２１０と、制御部２２１と、通信部２３０と、出力部２４０と、記憶部２５１と、条件判定部２６０とが設けられている。なお、図２４には、図２２に示した通信端末２００−３に設けられた構成要素のうち、本実施の形態に関わる主要な構成要素の一例を示す。
【０１３０】
入力部２１０、通信部２３０および出力部２４０は、図８に示したものと同じものである。また、制御部２２１は、図１９に示したものと同じものである。
【０１３１】
記憶部２５１は、条件判定部２６０が判定の基準として用いる閾値をあらかじめ記憶する。閾値の記憶形態は、図４や図６に示した閾値テーブルの形態で良い。また、記憶部２５１は、制御部２２１が書き込んだコンテンツ情報を記憶する。
【０１３２】
条件判定部２６０は、通信端末１００−３から送信されてきた生体情報が、記憶部２５１に記憶されている条件を満たすかどうかを判定する。ここで、条件判定部２６０は、通信端末１００−３から送信されてきた生体情報が記憶部２５１に記憶されている閾値を超えた場合、当該生体情報が条件を満たしていると判定する。また、条件判定部２６０は、通信端末１００−３から送信されてきた生体情報が記憶部２５１に記憶されている閾値を超えた状態が所定の時間以上続いた場合、当該生体情報が条件を満たしていると判定するものであっても良い。また、条件判定部２６０は、生体情報が条件を満たしていると判定した場合、通信部２３０を用いて通信ネットワーク３００を介して通信端末１００−３へコンテンツ情報の作成を要求する。この要求には、通信端末１００−３にて、コンテンツ情報の作成の要求であることを認識できる要求信号を用いるもので良い。また、この要求信号には、生体情報とともに送信されてきた測定時刻を含む。
【０１３３】
以下に、図２２に示した形態における情報処理方法について説明する。まずは、図２２に示した通信端末１００−３，２００−３におけるコンテンツ情報の作成処理について説明する。ここでは、生体情報が脈拍数である場合を例に挙げて説明する。また、出力部１５０がコンテンツを表示することで出力する場合を例に挙げて説明する。
【０１３４】
図２５は、図２２に示した通信端末１００−３，２００−３におけるコンテンツ情報の作成処理の一例を説明するためのシーケンス図である。
【０１３５】
まず、コンテンツ情報作成部１６２は、出力部１５０が表示中のコンテンツを出力時刻と対応付けて記憶部１８２に書き込んでおく。この書き込みのタイミングは、所定の周期や時刻を用いるもので良い。また、記憶部１８２は、コンテンツの書き込みが行われてから所定の時間が経過した後、当該コンテンツを削除する。コンテンツ情報作成部１６２が記憶部１８２に書き込むコンテンツは、出力部１５０が表示しているコンテンツを示すものであり、コンテンツそのものであっても良く、コンテンツ情報を作成できる情報であれば良い。
【０１３６】
通信端末１００−３を操作している閲覧者に装着された生体情報測定部１１０が、所定のタイミングで当該閲覧者の脈拍数を測定する（ステップＳ７１）。続いて、生体情報取得部１２１は、生体情報測定部１１０が測定した脈拍数を、生体情報測定部１１０から取得する（ステップＳ７２）。このとき、生体情報取得部１２１は、当該脈拍数を生体情報測定部１１０が測定した測定時刻も取得する。そして、生体情報取得部１２１は、取得した脈拍数を、通信部１４０を用いて、通信ネットワーク３００を介して通信端末２００−３へ送信する（ステップＳ７３）。このとき、生体情報取得部１２１は、取得した測定時刻も当該脈拍数とともに通信端末２００−３へ送信する。
【０１３７】
通信端末１００−３から送信されてきた脈拍数と測定時刻とを通信端末２００−３の通信部２３０が受信すると、条件判定部２６０は、通信部２３０が受信した脈拍数が、記憶部２５１の閾値テーブルにあらかじめ設定されている閾値を超えているかどうかを判定する（ステップＳ７４）。条件判定部２６０が、通信部２３０が受信した脈拍数が、記憶部２５１の閾値テーブルにあらかじめ設定されている閾値を超えていると判定した場合、条件判定部２６０は、通信部２３０を用いて通信ネットワーク３００を介して通信端末１００−３へコンテンツ情報の作成を要求する（ステップＳ７５）。このとき、条件判定部２６０は、通信端末１００−３から送信されてきた測定時刻も通信端末１００−３へ送信する。一方、条件判定部２６０が、通信部２３０が受信した脈拍数が、記憶部２５１の閾値テーブルにあらかじめ設定されている閾値を超えていないと判定した場合は、処理は終了する。
【０１３８】
続いて、通信端末２００−３からのコンテンツ情報の作成の要求を通信端末１００−３の通信部１４０が受信すると、コンテンツ情報作成部１６２は、当該要求とともに送信されてきた測定時刻と同じ時刻の出力時刻のコンテンツが記憶部１８２に記憶されているかどうかを判定する（ステップＳ７６）。
【０１３９】
コンテンツ情報作成部１６２が、測定時刻と同じ時刻の出力時刻のコンテンツが記憶部１８２に記憶されていると判定した場合、コンテンツ情報作成部１６２は、当該コンテンツを記憶部１８２から読み出す。そして、コンテンツ情報作成部１６２は、読み出したコンテンツに基づいて、コンテンツ情報を作成してコンテンツ情報提供部１７１へ出力する（ステップＳ７７）。続いて、コンテンツ情報提供部１７１は、コンテンツ情報作成部１６２から出力されてきたコンテンツ情報を、通信部１４０を用いて、通信ネットワーク３００を介して、通信端末２００−３へ送信する（ステップＳ７８）。
【０１４０】
通信端末１００−３から送信されたコンテンツ情報を通信端末２００−３の通信部２３０が受信すると、制御部２２１は、通信部２３０が受信したコンテンツ情報を記憶部２５１に書き込んで記憶させる（ステップＳ７９）。
【０１４１】
一方、ステップＳ７６にて、コンテンツ情報作成部１６２が、測定時刻と同じ時刻の出力時刻のコンテンツが記憶部１８２に記憶されていないと判定した場合は、次のタイミングでステップＳ７１の処理が行われる。
【０１４２】
なお、生体情報の測定タイミングと、コンテンツの出力タイミングとによっては、測定時刻と出力時刻とが必ずしも一致するとは限らない。そのため、ある程度のマージンを確保して、コンテンツ情報作成部１６２は、通信端末２００−３から送信されてきた測定時刻の前後数秒間や数分間に含まれる出力時刻のコンテンツを記憶部１８２から検索するものであっても良い。
【０１４３】
次に、図２２に示した通信端末２００−３におけるコンテンツ情報の出力処理について説明する。
【０１４４】
図２６は、図２２に示した通信端末２００−３におけるコンテンツ情報の出力処理の一例を説明するためのフローチャートである。
【０１４５】
まず、制御部２２１は、通信端末２００−３の外部からコンテンツ情報の出力の要求があったかどうかを判定する（ステップＳ８１）。この判定は、入力部２１０に、コンテンツ情報の出力を要求するための所定の入力があったかどうかを、制御部２２１が判定することで行う。制御部２２１が、通信端末２００−３の外部からコンテンツ情報の出力の要求があったと判定した場合、制御部２２１は、記憶部２５１に記憶されているコンテンツ情報を読み出す（ステップＳ８２）。続いて、制御部２２１は読み出したコンテンツ情報が示す情報を出力部２４０に出力させる（ステップＳ８３）。この情報は、コンテンツ情報にキャプチャ画面そのものが含まれている場合、当該キャプチャ画面であっても良いし、コンテンツ情報にコンテンツの配信サイトのＵＲＬが含まれる場合、当該ＵＲＬであっても良い。
【０１４６】
なお、第２の実施の形態のように、通信端末１００−３は、作成したコンテンツ情報を管理サーバ５００−１へ送信し、管理サーバ５００−１がコンテンツ情報を記憶するものであっても良い。この場合、管理サーバ５００−１は、通信端末１００−３からコンテンツ情報が送信されてきた後、当該コンテンツ情報を記憶しておき、通信端末２００−３からコンテンツ情報を要求された際、当該コンテンツ情報を読み出して通信端末２００−３へ送信するものであっても良い。また、管理サーバ５００−１は、通信端末１００−３からコンテンツ情報が送信されてきた際、その旨を通信端末２００−３へ通知するものであっても良い。
【０１４７】
なお、その他については、第１の実施の形態と同様であっても良い。
（第５の実施の形態）
図２７は、本発明の情報処理システムの第５の実施の形態を示す図である。
【０１４８】
本形態は図２７に示すように、通信端末１００−３，２００−１と、コンテンツ配信サーバ４００と、管理サーバ５００−２とが、互いに通信ネットワーク３００を介して通信可能となっている。また、図２７に示した形態においては、通信端末１００−３が１台、通信端末２００−１が１台、コンテンツ配信サーバ４００が１台である場合を例に挙げて示しているが、その数は規定しない。第５の実施の形態では、測定された生体情報が条件を満たしているかどうかを管理サーバ５００−２が判定する。
【０１４９】
通信端末２００−１およびコンテンツ配信サーバ４００は、図１に示したものと同じものである。また、通信端末１００−３は、図２２に示したものと同じものである。ただし、通信端末１００−３の生体情報取得部１２１は、生体情報測定部１１０から取得した生体情報を、通信部１４０を用いて通信ネットワーク３００を介して管理サーバ５００−２へ送信する。また、通信端末１００−３のコンテンツ情報作成部１６２は、管理サーバ５００−２からコンテンツ情報の作成を要求されると、コンテンツ情報を作成する。また、コンテンツ情報提供部１７１は、コンテンツ情報を、通信部１４０を用いて通信ネットワーク３００を介して管理サーバ５００−２へ送信する。
【０１５０】
管理サーバ５００−２は、通信端末１００−３から送信されてきた生体情報が条件を満たしているかどうかを判定し、条件を満たしている場合、通信端末１００−３へコンテンツ情報の作成を要求する。また、管理サーバ５００−２は、通信端末１００−３から送信されてきたコンテンツ情報を記憶する。また、管理サーバ５００−２は、通信端末２００−１からコンテンツ情報を要求されると、記憶しているコンテンツ情報を、通信ネットワーク３００を介して通信端末２００−１へ送信する。
【０１５１】
図２８は、図２７に示した管理サーバ５００−２の内部構成の一例を示す図である。
【０１５２】
図２７に示した管理サーバ５００−２には図２８に示すように、通信部５１０と、制御部５２０と、記憶部５３１と、条件判定部５４０とが設けられている。なお、図２８には、図２７に示した管理サーバ５００−２に設けられた構成要素のうち、本実施の形態に関わる主要な構成要素の一例を示す。
【０１５３】
通信部５１０および制御部５２０は、図１４に示したものと同じものである。
【０１５４】
記憶部５３１は、制御部５２０によって書き込まれたコンテンツ情報を記憶する。記憶部５３１が記憶するコンテンツ情報の詳細は、第１の実施の形態における記憶部１８０に記憶されたコンテンツ情報テーブルの内容と同じである。また、記憶部５３１は、あらかじめ設定されている閲覧者と確認者との対応付けをユーザ関連テーブルとして記憶する。このユーザ関連テーブルは、図１５に示したものである。また、記憶部５３１は、条件判定部５４０が判定の基準として用いる閾値をあらかじめ記憶する。閾値の記憶形態は、図４や図６に示した閾値テーブルの形態で良い。
【０１５５】
条件判定部５４０は、通信端末１００−３から送信されてきた生体情報が、記憶部５３１に記憶されている条件を満たすかどうかを判定する。ここで、条件判定部５４０は、通信端末１００−３から送信されてきた生体情報が記憶部５３１に記憶されている閾値を超えた場合、当該生体情報が条件を満たしていると判定する。また、条件判定部５４０は、通信端末１００−３から送信されてきた生体情報が記憶部５３１に記憶されている閾値を超えた状態が所定の時間以上続いた場合、当該生体情報が条件を満たしていると判定するものであっても良い。また、条件判定部５４０は、生体情報が条件を満たしていると判定した場合、通信部５１０を用いて通信ネットワーク３００を介して通信端末１００−３へコンテンツ情報の作成を要求する。この要求には、通信端末１００−３にて、コンテンツ情報の作成の要求であることを認識できる要求信号を用いるもので良い。また、この要求信号には、生体情報とともに送信されてきた測定時刻を含む。
【０１５６】
以下に、図２７に示した形態における情報処理方法について説明する。まずは、図２７に示した通信端末１００−３および管理サーバ５００−２におけるコンテンツ情報の作成処理について説明する。ここでは、生体情報が脈拍数である場合を例に挙げて説明する。また、出力部１５０がコンテンツを表示することで出力する場合を例に挙げて説明する。
【０１５７】
図２９は、図２７に示した通信端末１００−３および管理サーバ５００−２におけるコンテンツ情報の作成処理の一例を説明するためのシーケンス図である。
【０１５８】
まず、コンテンツ情報作成部１６２は、出力部１５０が表示中のコンテンツを出力時刻と対応付けて記憶部１８２に書き込んでおく。この書き込みのタイミングは、所定の周期や時刻を用いるもので良い。また、記憶部１８２は、コンテンツの書き込みが行われてから所定の時間が経過した後、当該コンテンツを削除する。コンテンツ情報作成部１６２が記憶部１８２に書き込むコンテンツは、出力部１５０が表示しているコンテンツを示すものであり、コンテンツそのものであっても良く、コンテンツ情報を作成できる情報であれば良い。
【０１５９】
通信端末１００−３を操作している閲覧者に装着された生体情報測定部１１０が、所定のタイミングで当該閲覧者の脈拍数を測定する（ステップＳ９１）。続いて、生体情報取得部１２１は、生体情報測定部１１０が測定した脈拍数を、生体情報測定部１１０から取得する（ステップＳ９２）。このとき、生体情報取得部１２１は、当該脈拍数を生体情報測定部１１０が測定した測定時刻も取得する。そして、生体情報取得部１２１は、取得した脈拍数を、通信部１４０を用いて、通信ネットワーク３００を介して管理サーバ５００−２へ送信する（ステップＳ９３）。このとき、生体情報取得部１２１は、取得した測定時刻も当該脈拍数とともに管理サーバ５００−２へ送信する。
【０１６０】
通信端末１００−３から送信されてきた脈拍数と測定時刻とを管理サーバ５００−２の通信部５１０が受信すると、条件判定部５４０は、通信部５１０が受信した脈拍数が、記憶部５３１の閾値テーブルにあらかじめ設定されている閾値を超えているかどうかを判定する（ステップＳ９４）。条件判定部５４０が、通信部５１０が受信した脈拍数が、記憶部５３１の閾値テーブルにあらかじめ設定されている閾値を超えていると判定した場合、条件判定部５４０は、通信部５１０を用いて通信ネットワーク３００を介して通信端末１００−３へコンテンツ情報の作成を要求する（ステップＳ９５）。このとき、条件判定部５４０は、通信端末１００−３から送信されてきた測定時刻も通信端末１００−３へ送信する。一方、条件判定部５４０が、通信部５１０が受信した脈拍数が、記憶部５３１の閾値テーブルにあらかじめ設定されている閾値を超えていないと判定した場合は、処理は終了する。
【０１６１】
続いて、管理サーバ５００−２からのコンテンツ情報の作成の要求を通信端末１００−３の通信部１４０が受信すると、コンテンツ情報作成部１６２は、当該要求とともに送信されてきた測定時刻と同じ時刻の出力時刻のコンテンツが記憶部１８２に記憶されているかどうかを判定する（ステップＳ９６）。
【０１６２】
コンテンツ情報作成部１６２が、測定時刻と同じ時刻の出力時刻のコンテンツが記憶部１８２に記憶されていると判定した場合、コンテンツ情報作成部１６２は、当該コンテンツを記憶部１８２から読み出す。そして、コンテンツ情報作成部１６２は、読み出したコンテンツに基づいてコンテンツ情報を作成してコンテンツ情報提供部１７１へ出力する（ステップＳ９７）。続いて、コンテンツ情報提供部１７１は、コンテンツ情報作成部１６２から出力されてきたコンテンツ情報を、通信部１４０を用いて、通信ネットワーク３００を介して、管理サーバ５００−２へ送信する（ステップＳ９８）。
【０１６３】
通信端末１００−３から送信されたコンテンツ情報を管理サーバ５００−２の通信部５１０が受信すると、制御部５２０は、通信部５１０が受信したコンテンツ情報を記憶部５３１に書き込んで記憶させる（ステップＳ９９）。また、管理サーバ５００−２は、通信端末１００−３からコンテンツ情報が送信されてきた際、当該コンテンツ情報に含まれる閲覧者識別子と対応付けられた確認者識別子（確認者連絡先）を用いてその旨を通信端末２００−３へ通知するものであっても良い。
【０１６４】
一方、ステップＳ９６にて、コンテンツ情報作成部１６２が、測定時刻と同じ時刻の出力時刻のコンテンツが記憶部１８２に記憶されていないと判定した場合は、次のタイミングでステップＳ９１の処理が行われる。
【０１６５】
なお、生体情報の測定タイミングと、コンテンツの出力タイミングとによっては、測定時刻と出力時刻とが必ずしも一致するとは限らない。そのため、ある程度のマージンを確保して、コンテンツ情報作成部１６２は、通信端末２００−３から送信されてきた測定時刻の前後数秒間や数分間に含まれる出力時刻のコンテンツを記憶部１８２から検索するものであっても良い。
【０１６６】
次に、図２７に示した管理サーバ５００−２および通信端末２００−１におけるコンテンツ情報の出力処理について説明する。
【０１６７】
図３０は、図２７に示した管理サーバ５００−２および通信端末２００−１におけるコンテンツ情報の出力処理の一例を説明するためのシーケンス図である。
【０１６８】
通信端末２００−１の入力部２１０が所定の入力を受け付けた場合、制御部２２０は通信部２３０を用いて、通信ネットワーク３００を介して管理サーバ５００−２へコンテンツ情報の取得を要求する（ステップＳ１０１）。この要求には、管理サーバ５００−２にて、コンテンツ情報の取得の要求が行われたことを認識することができる要求信号を用いる。また、その要求信号には、確認者識別子が含まれている。
【０１６９】
通信端末２００−１からコンテンツ情報の取得が要求されると、制御部５２０は、その要求信号に含まれる確認者識別子と対応付けられている閲覧者識別子を記憶部５３１に記憶されているユーザ関連テーブルから読み出す。そして、制御部５２０は、読み出した閲覧者識別子と対応付けられているコンテンツ情報を記憶部５３１から読み出し（ステップＳ１０２）、通信部５１０を用いて通信ネットワーク３００を介して通信端末２００−１へ送信する（ステップＳ１０３）。
【０１７０】
管理サーバ５００−２から送信されたコンテンツ情報を通信部２３０が受信すると、制御部２２０は、当該コンテンツ情報が示す情報を出力部２４０に出力させる（ステップＳ１０４）。この情報は、コンテンツ情報にキャプチャ画面そのものが含まれている場合、当該キャプチャ画面であっても良いし、コンテンツ情報にコンテンツの配信サイトのＵＲＬが含まれる場合、当該ＵＲＬであっても良い。
【０１７１】
なお、その他については、第１の実施の形態と同様であっても良い。
【０１７２】
以下に、第１〜５の実施の形態における生体情報測定部１１０が、閲覧者の通信端末と物理的に分離して設けられている形態について説明する。
（第６の実施の形態）
図３１は、本発明の情報処理システムの第６の実施の形態を示す図である。
【０１７３】
本形態は図３１に示すように、第１の実施の形態で通信端末１００−１に設けられていた生体情報測定部１１０が、生体情報測定部６１０として通信部６２０とともに、通信端末１００−４と分離された測定器６００内に設けられている。
【０１７４】
通信端末２００−１およびコンテンツ配信サーバ４００は、図１に示したものと同じものである。
【０１７５】
測定器６００は、閲覧者に装着可能な構造を持ち、生体情報測定部６１０が測定した閲覧者の生体情報を、通信部６２０を用いて通信端末１００−４へ送信する。例えば、測定器６００は、胸部付近に装着可能なシール構造や、体温計型、リストバンド型、腕時計型等の構造を持つ。また、通信端末１００−４の形状が腕時計型やリストバンド型である場合、通信端末１００−４の筐体に付されたベルトまたはリストバンド等の装着部の肌側に、測定器６００が設けられていても良い。また、通信部６２０と通信端末１００−４との間の通信方式は、例えば、近距離無線通信等の無線通信に限らず、有線を用いるものであっても良い。
【０１７６】
通信端末１００−４は、第１の実施の形態における通信端末１００−１の構成要素から生体情報測定部１１０が削除されたものである。通信端末１００−４の生体情報取得部１２０は、測定器６００から送信されてきた生体情報を取得する。なお、通信端末１００−４は、測定器６００から送信されてきた生体情報を取得（受信）するための通信部を具備する。通信端末１００−４が生体情報を取得してからの処理は、第１の実施の形態における処理と同じである。
（第７の実施の形態）
図３２は、本発明の情報処理システムの第７の実施の形態を示す図である。
【０１７７】
本形態は図３２に示すように、第２の実施の形態で通信端末１００−２に設けられていた生体情報測定部１１０が、生体情報測定部６１０として通信部６２０とともに、通信端末１００−５と分離された測定器６００内に設けられている。
【０１７８】
通信端末２００−１およびコンテンツ配信サーバ４００は、図１２に示したものと同じものである。
【０１７９】
測定器６００は、図３１に示したものと同じものである。また、通信部６２０と通信端末１００−５との間の通信方式は、例えば、近距離無線通信等の無線通信に限らず、有線を用いるものであっても良い。
【０１８０】
また、通信端末１００−５は、第２の実施の形態における通信端末１００−２の構成要素から生体情報測定部１１０が削除されたものである。通信端末１００−５の生体情報取得部１２０は、測定器６００から送信されてきた生体情報を取得する。なお、通信端末１００−５は、測定器６００から送信されてきた生体情報を取得（受信）するための通信部を具備する。通信端末１００−５が生体情報を取得してからの処理は、第２の実施の形態における処理と同じである。
（第８の実施の形態）
図３３は、本発明の情報処理システムの第８の実施の形態を示す図である。
【０１８１】
本形態は図３３に示すように、第３の実施の形態で通信端末１００−２に設けられていた生体情報測定部１１０が、生体情報測定部６１０として通信部６２０とともに、通信端末１００−５と分離された測定器６００内に設けられている。
【０１８２】
通信端末２００−２およびコンテンツ配信サーバ４００は、図１８に示したものと同じものである。
【０１８３】
測定器６００は、図３２に示したものと同じものである。
【０１８４】
また、通信端末１００−５は、第３の実施の形態における通信端末１００−２の構成要素から生体情報測定部１１０が削除されたものである。通信端末１００−５の生体情報取得部１２０は、測定器６００から送信されてきた生体情報を取得する。なお、通信端末１００−５は、測定器６００から送信されてきた生体情報を取得（受信）するための通信部を具備する。通信端末１００−５が生体情報を取得してからの処理は、第３の実施の形態における処理と同じである。
（第９の実施の形態）
図３４は、本発明の情報処理システムの第９の実施の形態を示す図である。
【０１８５】
本形態は図３４に示すように、第４の実施の形態で通信端末１００−３に設けられていた生体情報測定部１１０が、生体情報測定部６１０として通信部６２１とともに、通信端末１００−６と分離された測定器６０１内に設けられている。
【０１８６】
通信端末２００−３およびコンテンツ配信サーバ４００は、図２２に示したものと同じものである。
【０１８７】
測定器６０１は、閲覧者に装着可能な構造を持ち、生体情報測定部６１０が測定した閲覧者の生体情報を、通信部６２１を用いて通信ネットワーク３００を介して通信端末２００−３へ送信する。例えば、測定器６０１は、胸部付近に装着可能なシール構造や、体温計型、リストバンド型、腕時計型等の構造を持つ。なお、通信部６２１が通信ネットワーク３００へ生体情報を送信する際、通信端末１００−６の通信部１４０を経由するものであっても良い。
【０１８８】
通信端末１００−６は、第４の実施の形態における通信端末１００−３の構成要素から生体情報測定部１１０および生体情報取得部１２１が削除されたものである。
【０１８９】
以下に、図３４に示した形態における情報処理方法について説明する。まずは、図３４に示した通信端末１００−６，２００−３におけるコンテンツ情報の作成処理について説明する。ここでは、生体情報が脈拍数である場合を例に挙げて説明する。また、出力部１５０がコンテンツを表示することで出力する場合を例に挙げて説明する。
【０１９０】
図３５は、図３４に示した通信端末１００−６，２００−３におけるコンテンツ情報の作成処理の一例を説明するためのシーケンス図である。
【０１９１】
まず、コンテンツ情報作成部１６２は、出力部１５０が表示中のコンテンツを出力時刻と対応付けて記憶部１８２に書き込んでおく。この書き込みのタイミングは、所定の周期や時刻を用いるもので良い。また、記憶部１８２は、コンテンツの書き込みが行われてから所定の時間が経過した後、当該コンテンツを削除する。コンテンツ情報作成部１６２が記憶部１８２に書き込むコンテンツは、出力部１５０が表示しているコンテンツを示すものであり、コンテンツそのものであっても良く、コンテンツ情報を作成できる情報であれば良い。
【０１９２】
通信端末１００−６を操作している閲覧者に装着された測定器６０１の生体情報測定部６１０が、所定のタイミングで当該閲覧者の脈拍数を測定する。そして、生体情報測定部６１０は測定した脈拍数を、脈拍数を測定した測定時刻とともに通信部６２１を用いて通信ネットワーク３００を介して通信端末２００−３へ送信する。測定器６０１から送信されてきた脈拍数を通信端末２００−３の通信部２３０が受信すると、条件判定部２６０は、通信部２３０が受信した脈拍数を取得する（ステップＳ１１１）。このとき、条件判定部２６０は、当該脈拍数とともに送信されてきた測定時刻も取得する。
【０１９３】
すると、条件判定部２６０は、取得した脈拍数が、記憶部２５１の閾値テーブルにあらかじめ設定されている閾値を超えているかどうかを判定する（ステップＳ１１２）。条件判定部２６０が、取得した脈拍数が、記憶部２５１の閾値テーブルにあらかじめ設定されている閾値を超えていると判定した場合、条件判定部２６０は、通信部２３０を用いて通信ネットワーク３００を介して通信端末１００−６へコンテンツ情報の作成を要求する（ステップＳ１１３）。このとき、条件判定部２６０は、脈拍数とともに送信されてきた測定時刻も通信端末１００−６へ送信する。一方、条件判定部２６０が、通信部２３０が受信した脈拍数が、記憶部２５１の閾値テーブルにあらかじめ設定されている閾値を超えていないと判定した場合は、処理は終了する。
【０１９４】
続いて、通信端末２００−３からのコンテンツ情報の作成の要求を通信端末１００−６の通信部１４０が受信すると、コンテンツ情報作成部１６２は、当該要求とともに送信されてきた測定時刻と同じ時刻の出力時刻のコンテンツが記憶部１８２に記憶されているかどうかを判定する（ステップＳ１１４）。
【０１９５】
コンテンツ情報作成部１６２が、測定時刻と同じ時刻の出力時刻のコンテンツが記憶部１８２に記憶されていると判定した場合、コンテンツ情報作成部１６２は、当該コンテンツを記憶部１８２から読み出す。そして、コンテンツ情報作成部１６２は、読み出したコンテンツに基づいてコンテンツ情報を作成してコンテンツ情報提供部１７１へ出力する（ステップＳ１１５）。続いて、コンテンツ情報提供部１７１は、コンテンツ情報作成部１６２から出力されてきたコンテンツ情報を、通信部１４０を用いて、通信ネットワーク３００を介して、通信端末２００−３へ送信する（ステップＳ１１６）。
【０１９６】
通信端末１００−６から送信されたコンテンツ情報を通信端末２００−３の通信部２３０が受信すると、制御部２２１は、通信部２３０が受信したコンテンツ情報を記憶部２５１に書き込んで記憶させる（ステップＳ１１７）。
【０１９７】
一方、ステップＳ１１４にて、コンテンツ情報作成部１６２が、測定時刻と同じ時刻の出力時刻のコンテンツが記憶部１８２に記憶されていないと判定した場合は、コンテンツ情報作成部１６２は、通信端末２００−３からコンテンツ情報の作成の要求が送信されてくるのを待つ。
【０１９８】
なお、生体情報の測定タイミングと、コンテンツの出力タイミングとによっては、測定時刻と出力時刻とが必ずしも一致するとは限らない。そのため、ある程度のマージンを確保して、コンテンツ情報作成部１６２は、通信端末２００−３から送信されてきた測定時刻の前後数秒間や数分間に含まれる出力時刻のコンテンツを記憶部１８２から検索するものであっても良い。
【０１９９】
コンテンツ情報が通信端末２００−３の記憶部２５１に記憶された後、そのコンテンツ情報を出力する処理については、第４の実施の形態における処理と同じである。
（第１０の実施の形態）
図３６は、本発明の情報処理システムの第１０の実施の形態を示す図である。
【０２００】
本形態は図３６に示すように、第５の実施の形態で通信端末１００−３に設けられていた生体情報測定部１１０が、生体情報測定部６１０として通信部６２１とともに、通信端末１００−６と分離された測定器６０１内に設けられている。
【０２０１】
通信端末２００−１およびコンテンツ配信サーバ４００は、図２７に示したものと同じものである。
【０２０２】
測定器６０１は、閲覧者に装着可能な構造を持ち、生体情報測定部６１０が測定した閲覧者の生体情報を、通信部６２１を用いて通信ネットワーク３００を介して管理サーバ５００−２へ送信する。例えば、測定器６０１は、胸部付近に装着可能なシール構造や、体温計型、リストバンド型、腕時計型等の構造を持つ。なお、通信部６２１が通信ネットワーク３００へ生体情報を送信する際、通信端末１００−６の通信部１４０を経由するものであっても良い。
【０２０３】
通信端末１００−６は、第５の実施の形態における通信端末１００−３の構成要素から生体情報測定部１１０および生体情報取得部１２１が削除されたものである。
【０２０４】
以下に、図３６に示した形態における情報処理方法について説明する。まずは、図３６に示した通信端末１００−６および管理サーバ５００−２におけるコンテンツ情報の作成処理について説明する。ここでは、生体情報が脈拍数である場合を例に挙げて説明する。また、出力部１５０がコンテンツを表示することで出力する場合を例に挙げて説明する。
【０２０５】
図３７は、図３６に示した通信端末１００−６および管理サーバ５００−２におけるコンテンツ情報の作成処理の一例を説明するためのシーケンス図である。
【０２０６】
まず、コンテンツ情報作成部１６２は、出力部１５０が表示中のコンテンツを出力時刻と対応付けて記憶部１８２に書き込んでおく。この書き込みのタイミングは、所定の周期や時刻を用いるもので良い。また、記憶部１８２は、コンテンツの書き込みが行われてから所定の時間が経過した後、当該コンテンツを削除する。コンテンツ情報作成部１６２が記憶部１８２に書き込むコンテンツは、出力部１５０が表示しているコンテンツを示すものであり、コンテンツそのものであっても良く、コンテンツ情報を作成できる情報であれば良い。
【０２０７】
通信端末１００−６を操作している閲覧者に装着された測定器６０１の生体情報測定部６１０が、所定のタイミングで当該閲覧者の脈拍数を測定する。そして、生体情報測定部６１０は測定した脈拍数を、脈拍数を測定した測定時刻とともに通信部６２１を用いて通信ネットワーク３００を介して管理サーバ５００−２へ送信する。測定器６０１から送信されてきた脈拍数を管理サーバ５００−２の通信部５１０が受信すると、条件判定部５４０は、通信部５１０が受信した脈拍数を取得する（ステップＳ１２１）。このとき、条件判定部５４０は、当該脈拍数とともに送信されてきた測定時刻も取得する。
【０２０８】
すると、条件判定部５４０は、取得した脈拍数が、記憶部５３１の閾値テーブルにあらかじめ設定されている閾値を超えているかどうかを判定する（ステップＳ１２２）。条件判定部５４０が、取得した脈拍数が、記憶部５３１の閾値テーブルにあらかじめ設定されている閾値を超えていると判定した場合、条件判定部５４０は、通信部５１０を用いて通信ネットワーク３００を介して通信端末１００−６へコンテンツ情報の作成を要求する（ステップＳ１２３）。このとき、条件判定部５４０は、脈拍数とともに送信されてきた測定時刻も通信端末１００−６へ送信する。一方、条件判定部５４０が、通信部５１０が受信した脈拍数が、記憶部５３１の閾値テーブルにあらかじめ設定されている閾値を超えていないと判定した場合は、処理は終了する。
【０２０９】
続いて、管理サーバ５００−２からのコンテンツ情報の作成の要求を通信端末１００−６の通信部１４０が受信すると、コンテンツ情報作成部１６２は、当該要求とともに送信されてきた測定時刻と同じ時刻の出力時刻のコンテンツが記憶部１８２に記憶されているかどうかを判定する（ステップＳ１２４）。
【０２１０】
コンテンツ情報作成部１６２が、測定時刻と同じ時刻の出力時刻のコンテンツが記憶部１８２に記憶されていると判定した場合、コンテンツ情報作成部１６２は、当該コンテンツを記憶部１８２から読み出す。そして、コンテンツ情報作成部１６２は、読み出したコンテンツに基づいてコンテンツ情報を作成してコンテンツ情報提供部１７１へ出力する（ステップＳ１２５）。続いて、コンテンツ情報提供部１７１は、コンテンツ情報作成部１６２から出力されてきたコンテンツ情報を、通信部１４０を用いて、通信ネットワーク３００を介して、管理サーバ５００−２へ送信する（ステップＳ１２６）。
【０２１１】
通信端末１００−６から送信されたコンテンツ情報を管理サーバ５００−２の通信部５１０が受信すると、制御部５２０は、通信部５１０が受信したコンテンツ情報を記憶部５３１に書き込んで記憶させる（ステップＳ１２７）。
【０２１２】
一方、ステップＳ１２４にて、コンテンツ情報作成部１６２が、測定時刻と同じ時刻の出力時刻のコンテンツが記憶部１８２に記憶されていないと判定した場合は、コンテンツ情報作成部１６２は、管理サーバ５００−２からコンテンツ情報の作成の要求が送信されてくるのを待つ。
【０２１３】
なお、生体情報の測定タイミングと、コンテンツの出力タイミングとによっては、測定時刻と出力時刻とが必ずしも一致するとは限らない。そのため、ある程度のマージンを確保して、コンテンツ情報作成部１６２は、通信端末２００−３から送信されてきた測定時刻の前後数秒間や数分間に含まれる出力時刻のコンテンツを記憶部１８２から検索するものであっても良い。
【０２１４】
コンテンツ情報が管理サーバ５００−２の記憶部５３１に記憶された後、そのコンテンツ情報を出力する処理については、第５の実施の形態における処理と同じである。
【０２１５】
以上説明したように、本発明においては、閲覧者の生体情報を測定し、測定した生体情報があらかじめ設定された条件を満たす場合、閲覧者が閲覧していたコンテンツの内容を確認者へ通知する構成としたため、閲覧者にとって不適切な情報が出力されたことを確認者が知ることができる。
【０２１６】
なお、通信端末１００−１〜１００−６，２００−１〜２００−３は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ、電子ブック等の電子機器であって、コンテンツの出力機能および通信機能を具備するものである。
【０２１７】
上述した通信端末１００−１〜１００−６，２００−１〜２００−３および管理サーバ５００−１，５００−２それぞれに設けられた各構成要素が行う処理は、目的に応じてそれぞれ作製された論理回路で行うようにしても良い。また、処理内容を手順として記述したコンピュータプログラム（以下、プログラムと称する）を通信端末１００−１〜１００−６，２００−１〜２００−３および管理サーバ５００−１，５００−２それぞれにて読取可能な記録媒体に記録し、この記録媒体に記録されたプログラムを通信端末１００−１〜１００−６，２００−１〜２００−３および管理サーバ５００−１，５００−２それぞれに読み込ませ、実行するものであっても良い。通信端末１００−１〜１００−６，２００−１〜２００−３および管理サーバ５００−１，５００−２それぞれにて読取可能な記録媒体とは、フロッピー（登録商標）ディスク、光磁気ディスク、ＤＶＤ、ＣＤなどの移設可能な記録媒体の他、通信端末１００−１〜１００−６，２００−１〜２００−３および管理サーバ５００−１，５００−２それぞれに内蔵されたＲＯＭ、ＲＡＭ等のメモリやＨＤＤ等を指す。この記録媒体に記録されたプログラムは、通信端末１００−１〜１００−６，２００−１〜２００−３および管理サーバ５００−１，５００−２それぞれに設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０２１８】
上記の実施の形態の一部または全部は、以下の付記のようにも記載され得るが、以下には限られない。
（付記１）生体情報を測定する生体情報測定部と、
情報を出力する第１の出力部と、前記生体情報測定部が測定した生体情報を該生体情報測定部から取得する生体情報取得部とを具備する第１の情報処理端末と、
第２の情報処理端末と、
前記生体情報取得部が取得した生体情報が、あらかじめ設定された条件を満たすかどうかを判定する条件判定部とを有し、
前記第１の情報処理端末は、前記条件判定部が、前記生体情報が前記条件を満たしていると判定した場合、前記第１の出力部が出力している情報の内容を示すコンテンツ情報を作成するコンテンツ情報作成部を具備し、
さらに、前記コンテンツ情報作成部が作成したコンテンツ情報を前記第２の情報処理端末へ提供するコンテンツ情報提供部を有し、
前記第２の情報処理端末は、前記コンテンツ情報提供部から提供されたコンテンツ情報が示す情報を出力する第２の出力部を具備する情報処理システム。
（付記２）前記生体情報測定部は、前記第１の情報処理端末を操作している利用者の脈拍数または心拍数を前記生体情報として用いる場合、判定に用いる脈拍数または心拍数の測定期間より短い、既定の短期間または既定の拍数にて前記生体情報を測定し、
前記生体情報取得部は、前記生体情報測定部から取得した前記生体情報から、判定に用いる測定期間での前記生体情報を予測することを特徴とする、付記１に記載の情報処理システム。
（付記３）前記条件判定部は、前記生体情報があらかじめ設定された閾値を超えた場合、前記条件を満たすと判定することを特徴とする、付記１または付記２に記載の情報処理システム。
（付記４）前記条件判定部は、前記生体情報があらかじめ設定された閾値を超えた状態が所定の時間以上続いた場合、前記条件を満たすと判定することを特徴とする、付記１または付記２に記載の情報処理システム。
（付記５）前記コンテンツ情報作成部が作成したコンテンツ情報を記憶する記憶部を有し、
前記コンテンツ情報提供部は、前記第２の情報処理端末から前記コンテンツ情報の要求があった場合、前記記憶部が記憶しているコンテンツ情報を読み出して該第２の情報処理端末へ提供することを特徴とする、付記１から４のいずれか１項に記載の情報処理システム。
（付記６）前記第２の情報処理端末は、前記コンテンツ情報提供部から提供されたコンテンツ情報を記憶する記憶部を有し、
前記第２の出力部は、前記第２の情報処理端末の外部から前記コンテンツ情報の出力の要求があった場合、前記記憶部が記憶しているコンテンツ情報を読み出して出力することを特徴とする、付記１から４のいずれか１項に記載の情報処理システム。
（付記７）前記第１の情報処理端末は、前記生体情報測定部と前記条件判定部との少なくとも一方を具備することを特徴とする、付記１から６のいずれか１項に記載の情報処理システム。
（付記８）前記第１の出力部は、前記情報を表示することを特徴とする、付記１から７のいずれか１項に記載の情報処理システム。
（付記９）前記第１の出力部は、前記情報を音声として出力することを特徴とする、付記１から８のいずれか１項に記載の情報処理システム。
（付記１０）情報を出力する出力部と、
生体情報を取得する生体情報取得部と、
前記生体情報取得部が取得した生体情報が、あらかじめ設定された条件を満たすかどうかを判定する条件判定部と、
前記条件判定部が、前記生体情報が前記条件を満たしていると判定した場合、前記出力部が出力している情報の内容を示すコンテンツ情報を作成するコンテンツ情報作成部と、
前記コンテンツ情報作成部が作成したコンテンツ情報を提供するコンテンツ情報提供部とを有する情報処理端末。
（付記１１）さらに、前記出力部と、前記生体情報取得部と、前記条件判定部と、前記コンテンツ情報作成部と、前記コンテンツ情報提供部とを内蔵する筐体と、
前記筐体に付されて、前記筐体を利用者に装着する装着部とを具備し、
前記筐体または前記装着部の利用者の肌側に前記生体情報を測定する生体情報測定部が設けられている腕時計型、もしくはリストバンド型であることを特徴とする、付記１０に記載の情報処理端末。
（付記１２）情報を出力する処理と、
生体情報を取得する処理と、
前記取得した生体情報が、あらかじめ設定された条件を満たすかどうかを判定する処理と、
前記生体情報が前記条件を満たしていると判定した場合、前記出力している情報の内容を示すコンテンツ情報を作成する処理と、
前記作成したコンテンツ情報を提供する処理とを行う情報処理方法。
（付記１３）コンピュータに、
情報を出力する手順と、
生体情報を取得する手順と、
前記取得した生体情報が、あらかじめ設定された条件を満たすかどうかを判定する手順と、
前記生体情報が前記条件を満たしていると判定した場合、前記出力している情報の内容を示すコンテンツ情報を作成する手順と、
前記作成したコンテンツ情報を提供する手順とを実行させるためのプログラム。
【符号の説明】
【０２１９】
１００−１〜１００−６，２００−１〜２００−３    通信端末
１１０，６１０    生体情報測定部
１２０，１２１    生体情報取得部
１３０，２６０，５４０    条件判定部
１４０，２３０，５１０，６２０，６２１    通信部
１５０，２４０    出力部
１６０〜１６２    コンテンツ情報作成部
１７０，１７１    コンテンツ情報提供部
１８０，１８１，２５０，２５１，５３０，５３１    記憶部
２１０    入力部
２２０，２２１，５２０    制御部
３００    通信ネットワーク
４００    コンテンツ配信サーバ
５００−１，５００−２    管理サーバ
６００，６０１    測定器
【図１】
2014229234.tif 000003
【図２】
2014229234.tif 000004
【図３】
2014229234.tif 000005
【図４】
2014229234.tif 000006
【図５】
2014229234.tif 000007
【図６】
2014229234.tif 000008
【図７】
2014229234.tif 000009
【図８】
2014229234.tif 000010
【図９】
2014229234.tif 000011
【図１０】
2014229234.tif 000012
【図１１】
2014229234.tif 000013
【図１２】
2014229234.tif 000014
【図１３】
2014229234.tif 000015
【図１４】
2014229234.tif 000016
【図１５】
2014229234.tif 000017
【図１６】
2014229234.tif 000018
【図１７】
2014229234.tif 000019
【図１８】
2014229234.tif 000020
【図１９】
2014229234.tif 000021
【図２０】
2014229234.tif 000022
【図２１】
2014229234.tif 000023
【図２２】
2014229234.tif 000024
【図２３】
2014229234.tif 000025
【図２４】
2014229234.tif 000026
【図２５】
2014229234.tif 000027
【図２６】
2014229234.tif 000028
【図２７】
2014229234.tif 000029
【図２８】
2014229234.tif 000030
【図２９】
2014229234.tif 000031
【図３０】
2014229234.tif 000032
【図３１】
2014229234.tif 000033
【図３２】
2014229234.tif 000034
【図３３】
2014229234.tif 000035
【図３４】
2014229234.tif 000036
【図３５】
2014229234.tif 000037
【図３６】
2014229234.tif 000038
【図３７】
2014229234.tif 000039